(57)【要約】【課題】デジタル放送の表示までの待ち時間を短縮すること。【解決手段】主制御部１１内部のチューナ管理部１１ａは、デジタルチューナ２１によるデジタル放送の受信状態と、アナログチューナ４１によるアナログ放送の受信状態とを取得し、モニタ１３へ表示する放送を、アナログ放送とデジタル放送とで交互に切り替えることで、デジタル放送の受信準備中にはアナログ放送を表示することとなり、デジタル放送の受信準備によって生じる待ち時間を短縮する。【選択図】      図１
2005064566.tif 000002
【特許請求の範囲】
【請求項１】
アナログ放送を受信するアナログチューナと、デジタル放送を受信するデジタルチューナとを備えた受信装置であって、
受信中のチャンネルを切り替える際に、前記アナログチューナの受信状態および前記デジタルチューナの受信状態に基いて、前記アナログ放送と前記デジタル放送とのいずれを出力するかを決定する出力管理手段を備えたことを特徴とする受信装置。
【請求項２】
前記出力管理手段は、前記アナログチューナおよび前記デジタルチューナによるスキャンを実行する場合に、該スキャンの進行状態に基いて受信可能な放送内容を出力させることを特徴とする請求項１に記載の受信装置。
【請求項３】
前記出力管理手段は、前記アナログ放送と前記デジタル放送とを交互に出力させることを特徴とする請求項１または２に記載の受信装置。
【請求項４】
前記出力管理手段は、前記デジタルチューナがデジタル放送を受信可能となるまでは前記アナログ放送を順次出力させることを特徴とする請求項１，２または３に記載の受信装置。
【請求項５】
アナログ放送を受信するアナログチューナと、デジタル放送を受信するデジタルチューナと用いる受信方法であって、
受信中のチャンネルを切り替える際に、前記アナログチューナの受信状態および前記デジタルチューナの受信状態に基いて、前記アナログ放送と前記デジタル放送とのいずれを出力するかを決定する出力管理工程を含んだことを特徴とする受信方法。
【請求項６】
前記出力管理工程は、前記アナログチューナおよび前記デジタルチューナによるスキャンを実行する場合に、該スキャンの進行状態に基いて受信可能な放送内容を出力させることを特徴とする請求項５に記載の受信方法。
【請求項７】
前記出力管理工程は、前記アナログ放送と前記デジタル放送とを交互に出力させることを特徴とする請求項５または６に記載の受信方法。
【請求項８】
前記出力管理工程は、前記デジタルチューナがデジタル放送を受信可能となるまでは前記アナログ放送を順次出力させることを特徴とする請求項５，６または７に記載の受信方法。
【発明の詳細な説明】
【０００１】
【発明の属する技術分野】
この発明は、アナログ放送を受信するアナログチューナと、デジタル放送を受信するデジタルチューナとを備えた受信装置およびその受信方法に関し、特に、受信チャンネルの切替時において、表示までに要する待ち時間を短縮した受信装置および受信方法に関する。
【０００２】
【従来の技術】
近年、映像番組をデジタル化して放送するデジタルテレビ放送が実用化されている。デジタル放送では、高画質化、多チャンネル化、双方向化が実現できるという利点があるので、従来から衛星デジタル放送が行われているのに加え、地上波アナログ放送をデジタル放送に移行させるなどその利用が広がっている。
【０００３】
ところでデジタル放送では、受信チャンネルを切り替えた場合に画面表示や音声出力までに１秒程度の時間が必要となる。このため、ユーザがチャンネルの切替操作をした場合などに、操作を行ったタイミングから所望の画面を表示するまでに待ち時間が生じるという問題があった。
【０００４】
この問題を軽減・解消するため、特許文献１では、デジタル放送を選局した場合に、同一内容のアナログ放送を受信して表示し、その後、指定されたデジタル放送を受信・表示する技術が公開されている。
【０００５】
また、特許文献２では、チャンネルの切替操作が行われた場合に、チャンネル切替前の画像を徐々に小さくし、その後、チャンネル切替後の画像を徐々に大きく表示することにより、待ち時間によって生ずるユーザの心理的負荷を軽減する技術が公開されている。
【０００６】
さらに、特許文献３では、デジタル放送の表示化可能となるまでの待ち時間に、待ち時間専用の映像を表示することでユーザの心理的負荷を軽減する技術が公開されている。
【０００７】
【特許文献１】
特開２００１−２８５７５２号公報
【特許文献２】
特開平９−１３５３９４号公報
【特許文献３】
特開平１１−２６１９０６号公報
【０００８】
【発明が解決しようとする課題】
しかしながら、上述の特許文献２，３に示された技術では、ユーザの心理的負荷の軽減に留まり、待ち時間自体を短縮することはできなかった。
【０００９】
一方、上述の特許文献１に示された技術では、どのチャンネルにどの内容の放送が配置されているかを把握していること、そのチャンネル配置が不変であること、ユーザが放送内容を指定してチャンネル切替を行うこと、ユーザが指定したデジタル放送と同内容のアナログ放送が受信可能であること、が前提となっていた。
【００１０】
しかし、例えば車載用のテレビ装置では、車両の走行に伴ってチャンネルテーブルが変化する。また、車載用のテレビ装置の操作では、放送内容を指定したチャンネル切替ではなく、現在指定しているチャンネルを起点として次に放送が受信可能なチャンネルを表示するように指定したチャンネル切替が行われる場合が多い。
【００１１】
すなわち、従来の受信装置では、放送内容を指定しないチャンネル切替ではデジタル放送の表示までの待ち時間を短縮することができないという問題点があった。
【００１２】
本発明は、上述した従来技術による問題点を解消し、課題を解決するためになされたものであり、デジタル放送の表示までの待ち時間を短縮可能な受信装置および受信方法を提供することを目的とする。
【００１３】
【課題を解決するための手段】
上述した課題を解決し、目的を達成するため、請求項１の発明に係る受信装置は、アナログ放送を受信するアナログチューナと、デジタル放送を受信するデジタルチューナとを備えた受信装置であって、受信中のチャンネルを切り替える際に、前記アナログチューナの受信状態および前記デジタルチューナの受信状態に基いて、前記アナログ放送と前記デジタル放送とのいずれを出力するかを決定する出力管理手段を備えたことを特徴とする。
【００１４】
この請求項１の発明によれば、受信装置は、受信するチャンネルを切り替える場合に、アナログチューナの受信状態とデジタルチューナの受信状態とを基に、アナログ放送とデジタル放送とのいずれを出力するかを決定する。
【００１５】
また、請求項２の発明に係る受信装置は、請求項１の発明において、前記出力管理手段は、前記アナログチューナおよび前記デジタルチューナによるスキャンを実行する場合に、該スキャンの進行状態に基いて受信可能な放送内容を出力させることを特徴とする。
【００１６】
この請求項２の発明によれば受信装置は、スキャン動作を実行する場合に、スキャンの進行状態に基いて受信可能な放送内容を順次出力する。
【００１７】
また、請求項３の発明に係る受信装置は、請求項１または２の発明において、前記出力管理手段は、前記アナログ放送と前記デジタル放送とを交互に出力させることを特徴とする。
【００１８】
この請求項３の発明によれば受信装置は、デジタルチューナによって受信したデジタル放送と、アナログチューナによって受信したアナログ放送とを交互に出力する。
【００１９】
また、請求項４の発明に係る受信装置は、請求項１，２または３の発明において、前記出力管理手段は、前記デジタルチューナがデジタル放送を受信可能となるまでは前記アナログ放送を順次出力させることを特徴とする。
【００２０】
この請求項４の発明によれば受信装置は、デジタルチューナがデジタル放送を受信可能となるまでは、アナログチューナによって受信したアナログ放送を順次出力する。
【００２１】
また、請求項５の発明に係る受信方法は、アナログ放送を受信するアナログチューナと、デジタル放送を受信するデジタルチューナと用いる受信方法であって、受信中のチャンネルを切り替える際に、前記アナログチューナの受信状態および前記デジタルチューナの受信状態に基いて、前記アナログ放送と前記デジタル放送とのいずれを出力するかを決定する出力管理工程を含んだことを特徴とする。
【００２２】
この請求項５の発明によれば、受信方法は、受信するチャンネルを切り替える場合に、アナログチューナの受信状態とデジタルチューナの受信状態とを基に、アナログ放送とデジタル放送とのいずれを出力するかを決定する。
【００２３】
また、請求項６の発明に係る受信方法は、請求項５の発明において、前記出力管理工程は、前記アナログチューナおよび前記デジタルチューナによるスキャンを実行する場合に、該スキャンの進行状態に基いて受信可能な放送内容を出力させることを特徴とする。
【００２４】
この請求項６の発明によれば受信方法は、スキャン動作を実行する場合に、スキャンの進行状態に基いて受信可能な放送内容を順次出力する。
【００２５】
また、請求項７の発明に係る受信方法は、請求項５または６の発明において、前記出力管理工程は、前記アナログ放送と前記デジタル放送とを交互に出力させることを特徴とする。
【００２６】
この請求項７の発明によれば受信方法は、デジタルチューナによって受信したデジタル放送と、アナログチューナによって受信したアナログ放送とを交互に出力する。
【００２７】
また、請求項８の発明に係る受信方法は、請求項５，６または７の発明において、前記出力管理工程は、前記デジタルチューナがデジタル放送を受信可能となるまでは前記アナログ放送を順次出力させることを特徴とする。
【００２８】
この請求項８の発明によれば受信方法は、デジタルチューナがデジタル放送を受信可能となるまでは、アナログチューナによって受信したアナログ放送を順次出力する。
【００２９】
【発明の実施の形態】
以下に添付図面を参照し、この発明に係る受信装置および受信方法の好適な実施の形態である車載テレビ装置について説明する。
【００３０】
まず、本実施の形態にかかる車載テレビ装置１の概要構成について説明する。図１は、本実施の形態にかかる車載テレビ装置の概要構成を示す概要構成図である。図１において車載テレビ装置１は、アンテナ２，４、デジタルテレビ受信器２０、アナログテレビ受信器４０、主制御部１１、切替部１２およびモニタ１３を有する。
【００３１】
デジタルテレビ受信器２０は、アンテナ２と接続され、デジタル放送を受信して切替部１２に出力する。また、アナログテレビ受信器４０は、アンテナ４と接続され、アナログ放送を受信して切替部１２に出力する。
【００３２】
主制御部１１は、車載テレビ装置１を全体制御する制御部であり、その内部にチューナ管理部１１ａを有する。チューナ管理部１１ａは、デジタルテレビ受信器２０、アナログテレビ受信器４０の受信チャンネルを制御するとともに、切替部１２を制御してデジタル放送とアナログ放送のいずれかをモニタ１３に表示させる。
【００３３】
デジタルテレビ受信器２０は、その内部にデジタルチューナ２１、ＣＰＵ２２、チャンネルテーブル２３、ＭＰＥＧデコーダ２４およびデジタル復調部２５を有する。
【００３４】
デジタルチューナ２１は、ＣＰＵ２２によって指定されたチャンネルの受信を行う。デジタル復調部２５は、デジタルチューナ２１が受信したチャンネルからＴＳ（Ｔｒａｎｓｐｏｒｔ  Ｓｔｒｅａｍ）パケットを取り出す。ＭＰＥＧデコーダ２４は、このＴＳパケットを動画データに変換して切替部１２に出力する。
【００３５】
より詳細には、デジタル復調部２５は、その内部にＡＧＣ（ａｕｔｏｍａｔｉｃ  ｇａｉｎ  ｃｏｎｔｒｏｌ）３１、ＡＤＣ（Ａｎａｌｏｇ−ｔｏ−Ｄｉｇｉｔａｌ  Ｃｏｎｖｅｒｔｅｒ）３２、データシンボル読み出し部３３、復号処理部３４およびＴＳバッファ３５を有する。ＡＤＣ３２は、デジタルチューナ２１が受信した受信電波をデジタル信号に変換してデータシンボル読み出し部３３に出力する。データシンボル読み出し部３３は、ＡＤＣ３２によってデジタル化された受信電波からデータシンボルを読み出して復号処理部３４に出力する。またＡＧＣ３１は、データシンボル読み出し部３３と接続され、受信電波の強度（受信強度）をもとにデジタルチューナ２１の利得制御を行う。
【００３６】
復号処理部３４は、データシンボルに対して復号処理を実行し、ＴＳパケットを取り出す。このＴＳパケットは、ＴＳバッファ３５に蓄積されたのち、ＭＰＥＧデコーダ２４に出力される。
【００３７】
ＣＰＵ２２は、デジタルチューナ２１、デジタル復調部２５およびＭＰＥＧデコーダ２４を制御する制御部として機能する。また、ＣＰＵ２２は、ＲＡＭ等のメモリで構成されたチャンネルテーブル２３と接続される。チャンネルテーブル２３は、デジタル放送が行われているチャンネル、すなわちデジタル放送チャンネルを記憶している。
【００３８】
ＣＰＵ２２は、デジタル放送チャンネルのサーチやスキャンを行った場合に、その結果をチャンネルテーブル２３に記憶させる。ここで、デジタル放送チャンネルのサーチとは、現在の周波数（チャンネル）から高周波数側もしくは低周波数側に向けて受信可能なチャンネル、すなわちデジタル放送に使用されているチャンネルを検索し、受信可能なチャンネルを見出した場合にそのデジタル放送を受信し、表示する処理をいう。
【００３９】
また、デジタル放送チャンネルのスキャンとは、周波数帯の全てのチャンネルについて順次受信可否の判定を行い、デジタル放送が行われているチャンネルを検出する処理をいう。このスキャンを行うことより、チャンネルテーブル２３を完成させることができるので、次に受信するチャンネルを変更する場合に、サーチを行うことなく所望のチャンネルを指定して放送の受信を行うことができる。
【００４０】
アナログテレビ受信器４０は、その内部にアナログチューナ４１、ＣＰＵ４２、チャンネルテーブル４３、ＩＦ検波器４４、増幅器４５、ＡＧＣ４７およびアナログ復調部４８を有する。
【００４１】
アナログチューナ４１は、ＣＰＵ４２によって指定されたチャンネルの受信を行う。ＩＦ検波器４４は、アナログチューナ４１が受信した受信電波に対してＩＦ検波を行い、増幅器４５に出力する。増幅器４５は、ＩＦ検波器４４の出力を増幅しコンポジットビデオ信号としてＡＧＣ４７およびアナログ復調部４８に出力する。ＡＧＣ４７は、増幅器４５の出力をもとにアナログチューナ４１および増幅器４５の利得制御を行う。
【００４２】
アナログ復調部４８は、コンポジットビデオ信号から画像信号および同期信号を取り出して切り替え部１２に出力する。より詳細には、アナログ復調部４８は、その内部に同期分離部５１、ＡＦＣ５２、ＹＣ分離部５３およびＲＧＢ復調部５４を有する。
【００４３】
同期分離部５１は、コンポジットビデオ信号から同期信号を分離してＡＦＣ５２に出力する。ＡＦＣ５２は、同期信号に対して自動周波数制御を実行して安定化し、ＲＧＢ復調部５４および切り替え部１２に供給する。
【００４４】
一方、ＹＣ分離部５３は、コンポジットビデオ信号からＹ信号（輝度信号）およびＣ信号（色信号）をそれぞれ分離し、ＲＧＢ復調部５４に供給する。ＲＧＢ復調器５４は、ＡＦＣ５２から供給された同期信号に基づいて、Ｙ信号およびＣ信号に対してＲＧＢ復調を実行し、画像信号として切替部１２に出力する。
【００４５】
ＣＰＵ４２は、アナログチューナ４１およびアナログ復調部４８を制御する制御部として機能する。また、ＣＰＵ４２は、ＲＡＭ等のメモリで構成されたチャンネルテーブル４３と接続される。チャンネルテーブル４３は、アナログ放送が行われているチャンネル、すなわちアナログ放送チャンネルを記憶している。
【００４６】
ＣＰＵ４２は、アナログ放送チャンネルのサーチやスキャンを行った場合に、その結果をチャンネルテーブル４３に記憶させる。ここで、アナログ放送チャンネルのサーチとは、現在の周波数（チャンネル）から高周波数側もしくは低周波数側に向けて受信可能なチャンネル、すなわちアナログ放送に使用されているチャンネルを検索し、受信可能なチャンネルを見出した場合にそのアナログ放送を受信し、表示する処理をいう。
【００４７】
また、アナログ放送チャンネルのスキャンとは、周波数帯の全てのチャンネルについて順次受信可否の判定を行い、アナログ放送が行われているチャンネルを検出する処理をいう。このスキャンを行うことより、チャンネルテーブル４３を完成させることができるので、次に受信するチャンネルを変更する場合に、サーチを行うことなく所望のチャンネルを指定して放送の受信を行うことができる。
【００４８】
つぎに、車載テレビ装置１におけるチャンネル切り替えについて説明する。車載テレビ装置１では、現在指定しているチャンネルを起点として次に放送が受信可能なチャンネルを表示するチャンネル切替が実行可能である。このように、現在指定しているチャンネルを起点として次に放送が受信可能なチャンネルを表示するチャンネル切替を、以降本明細書ではステップ切替という。
【００４９】
具体的には、ステップ切替は、現在のチャンネルを起点として高周波側のチャンネルを表示するアップステップと、現在のチャンネルを起点として低周波側のチャンネルを表示するダウンステップとに分けられる。
【００５０】
ユーザからアップステップを指示された場合、チューナ管理部１１ａは、チャンネルテーブル２３，４３を参照し、現在受信中のチャンネルの高周波側で放送が行われているチャンネルを選択してチューナに受信させ、モニタ１３に表示させる。
【００５１】
同様に、ユーザからダウンステップを指示された場合、チューナ管理部１１ａは、チャンネルテーブル２３，４３を参照し、現在受信中のチャンネルの低周波側で放送が行われているチャンネルを選択してチューナに受信させ、モニタ１３に表示させる。
【００５２】
ここで、デジタルチューナ２１とアナログチューナ４１とはそれぞれ独立に受信を行うことができる。しかし、デジタルチューナ２１が新しくチャンネルを受信し、モニタ１３に表示可能な状態となる（セットする）までに要する時間と、アナログチューナ２１が新しくチャンネルを受信し、モニタ１３に表示可能な状態となる（セットする）までに要する時間とは異なる。具体的には、デジタルチューナ２１のセットには１秒程度の時間が必要であるが、アナログチューナ４１セットに要する時間はこれに比して短い。
【００５３】
そこで、車載テレビ装置１では、ステップ切替の要求を受けた場合に、デジタルチューナ２１およびアナログチューナ４１の状態を取得し、より早く表示可能な放送を選択して表示する。
【００５４】
この車載テレビ装置１におけるステップ切替と、表示内容についてさらに説明する。図２は、ステップ切替におけるチューナのセットについて説明する説明図である。また、図３は、ステップ切替時における表示内容の具体例を説明する説明図である。
【００５５】
図２は、３チャンネルのデジタル放送を受信・表示している状態で、アップステップの指示を受けた場合におけるデジタルチューナ２１およびアナログチューナ４１の動作を示している。同図に示すように、デジタルチューナ２１は、まず、現在のチャンネル（３チャンネル）を起点として高周波側に存在する次のデジタル放送チャンネル（５チャンネル）のセットをおこなう。なお、チャンネルテーブル２３を参照することで、４チャンネルにデジタル放送が存在しないことが確認できるので、４チャンネルに対する受信判定を行う必要はない。
【００５６】
同様に、アナログチューナ４１は、まず、現在のチャンネル（３チャンネル）を起点として高周波側に存在する次のアナログ放送チャンネル（６チャンネル）のセットをおこなう。なお、チャンネルテーブル４３を参照することで、４チャンネル、５チャンネルにアナログ放送が存在しないことが確認できるので、４チャンネル、５チャンネルに対する受信判定を行う必要はない。
【００５７】
ここで、デジタルチューナ２１が５チャンネルのセットに要する時間よりも、アナログチューナ４１が６チャンネルのセットに要する時間の方が短い。そこで、図３に示すように、モニタ１３の表示内容は、３チャンネルのデジタル放送から６チャンネルのアナログ放送に切り替えられる。
【００５８】
一方、デジタルチューナ２１による５チャンネルのセットは、６チャンネルのアナログ放送がモニタ１３に表示されたとしても中断することなく実行される。そのため、６チャンネルのアナログ放送を表示した後に再びアップステップが指示されたならば、既にセットが終了した５チャンネルのデジタル放送がモニタ１３に表示されることとなる。
【００５９】
この時、アナログチューナ４１は、図２に示したように、６チャンネルからさらに高周波側に存在する次のアナログ放送チャンネル（８チャンネル）のセットをおこなう。
【００６０】
したがって、５チャンネルのデジタル放送を表示した状態でさらにアップステップが指示されたならば、モニタ１３には既にセットが終了した８チャンネルのアナログ放送が表示される。また、この時デジタルチューナ２１は、７チャンネルからさらに高周波側に存在する次のデジタル放送チャンネル（１１チャンネル）のセットをおこなう。
【００６１】
このように、同一方向のステップ切替（アップステップもしくはダウンステップ）が連続して指示された場合には、アナログ放送とデジタル放送とを交互に表示することで、デジタルチューナ２１のセット中はアナログ放送が表示されることとなり、待ち時間を短縮することができる。
【００６２】
ところで、ステップ切替を行う場合、現在のチャンネルから次のチャンネルに切り替えた状態で処理を停止し、ユーザから再度ステップ切替を指示された場合に再びステップ切替を実行するようにしてもよいし、ステップ切替が指示されてから切替終了が指示されるまで、継続的に順次ステップ切替を繰り返すようにしてもよい。
【００６３】
継続的にステップ切替を繰り返す場合、ステップ切替によって新しいチャンネルを表示し、所定時間経過後に自動的に再度ステップ切替を実行し、ユーザから切替終了が指定された時点で表示していた放送をその後、表示するようにすれば良い。
【００６４】
なお、自動的にステップ切替を繰り返す場合や、ユーザからのステップ切替が高い頻度で受信された場合などには、アナログ放送に切り替えたにも関わらず、デジタルチューナ２１のセットが終了していない状況が発生し得る。
【００６５】
このような状況では、デジタルチューナ２１のセットが終了するまで、アナログ放送のみを順次切り替えて表示すればよい。図４は、デジタルチューナ２１のセットが終了するまでアナログ放送を順次表示する場合の表示内容を説明する説明図である。
【００６６】
図４は、図２，図３と同様に、３チャンネルのデジタル放送を受信・表示している状態で、アップステップの指示を受けた場合における動作を示している。同図に示すように、デジタルチューナ２１は、まず、現在のチャンネル（３チャンネル）を起点として高周波側に存在する次のデジタル放送チャンネル（５チャンネル）のセットをおこなう。
【００６７】
同様に、アナログチューナ４１は、まず、現在のチャンネル（３チャンネル）を起点として高周波側に存在する次のアナログ放送チャンネル（６チャンネル）のセットをおこなう。なお、デジタルチューナ２１およびアナログチューナ４１の受信判定において、チャンネルテーブル２３，４３を参照して所定のチャンネルに対する受信判定をスキップする点は図２，３の場合と同様である。
【００６８】
図３に示した場合と同様に、デジタルチューナ２１が５チャンネルのセットに要する時間よりも、アナログチューナ４１が６チャンネルのセットに要する時間の方が短いので、モニタ１３の表示内容は、３チャンネルのデジタル放送から６チャンネルのアナログ放送に切り替えられる。
【００６９】
この６チャンネルのアナログ放送を表示した後、自動的に、もしくはユーザからの指示によってステップ切替を実行する場合、デジタルチューナ２１による５チャンネルのセットが終了していなければ、アナログチューナ４１は、６チャンネルからさらに高周波側に存在する次のアナログ放送チャンネル（８チャンネル）をセットし、表示する。
【００７０】
８チャンネルのアナログ放送を表示した後、自動的に、もしくはユーザからの指示によってステップ切替を実行する場合、デジタルチューナ２１による５チャンネルのセットが終了していれば、この５チャンネルのデジタル放送がモニタ１３に表示されることとなる。
【００７１】
このように、デジタルチューナ２１のセットが終了するまではアナログ放送チャンネルを順次切り替えて表示することで、ステップ切替が高速で繰り返し実行される場合であっても、デジタルチューナ２１のセット中は常にアナログ放送が表示されることとなり、待ち時間を短縮することができる。
【００７２】
つぎに、車載テレビ装置１によるステップ切替の処理動作についてさらに説明する。図５は、車載テレビ装置１によるステップ切替の処理動作を説明するフローチャートである。尚、この処理はユーザの操作に基づくチャンネルの切替動作時に実行される。同図に示すように、まず、車載テレビ装置１がユーザからのステップ切替要求を受信する（ステップＳ１０１）。そして車載テレビ装置１は、現在アナログ放送を受信・表示中であるか否かを判定する（ステップＳ１０２）。
【００７３】
車載テレビ装置１が現在アナログ放送を受信・表示中であるならばステップＳ（ステップＳ１０２，Ｙｅｓ）、チューナ管理部１１ａは、デジタルチューナ２１によってデジタル放送がセットされているか否かを判定する（ステップＳ１０３）。なお、ここでデジタル放送がセットされている、とは、受信したステップ切替要求によって指示された側の放送を指す。例えば、現在のチャンネルを起点として低周波側のチャンネルがセットされている状態でアップステップを指示された場合や、現在のチャンネルを起点として高周波側のチャンネルがセットされている状態でダウンステップを指示された場合は、デジタル放送はセットされていないものとみなす。
【００７４】
このステップＳ１０３において、デジタル放送がセットされているならば（ステップＳ１０３，Ｙｅｓ）、チューナ管理部１１ａは、デジタル放送をモニタ１３に表示させるとともに、アナログチューナ４１を次のチャンネルにセットして（ステップＳ１０４）、処理を終了する。
【００７５】
一方、ステップＳ１０３において、デジタル放送がセットされていないならば、（ステップＳ１０３，Ｎｏ）、チューナ管理部１１ａは、デジタルチューナ２１、アナログチューナ４１でそれぞれ放送のセットを行い、早くセットが終了した方をモニタ１３に表示させて処理を終了する。
【００７６】
さらに、現在アナログ放送を受信・表示していない場合（ステップＳ１０２，Ｎｏ）、チューナ管理部１１ａは、アナログチューナ４１によってアナログ放送がセットされているか否かを判定する（ステップＳ１０５）。なお、ここでアナログ放送がセットされている、とは、受信したステップ切替要求によって指示された側の放送を指す。例えば、現在のチャンネルを起点として低周波側のチャンネルがセットされている状態でアップステップを指示された場合や、現在のチャンネルを起点として高周波側のチャンネルがセットされている状態でダウンステップを指示された場合は、アナログ放送はセットされていないものとみなす。
【００７７】
このステップＳ１０５において、アナログ放送がセットされているならば（ステップＳ１０５，Ｙｅｓ）、チューナ管理部１１ａは、アナログ放送をモニタ１３に表示させるとともに、デジタルチューナ２１を次のチャンネルにセットして（ステップＳ１０７）、処理を終了する。
【００７８】
一方、ステップＳ１０５において、アナログ放送がセットされていないならば、（ステップＳ１０５，Ｎｏ）、チューナ管理部１１ａは、デジタルチューナ２１、アナログチューナ４１でそれぞれ放送のセットを行い、早くセットが終了した方をモニタ１３に表示させて処理を終了する。
【００７９】
このように、ステップ切替の要求があった場合にチューナ管理部１１ａによってデジタルチューナ２１、アナログチューナ４１の状態を把握し、より早く表示可能な放送をモニタ１３に表示させることで、待ち時間を生じることなく表示内容を切り替えることができる。
【００８０】
ところで、上述の説明ではステップ切替における待ち時間の短縮について説明したが、本発明の利用はステップ切替時に限定されるものではなく、サーチやスキャンを実行する場合にも利用することができる。
【００８１】
サーチを実行する場合のチューナのセットについて図６を参照して説明する。図６は、３チャンネルのデジタル放送を受信・表示している状態で、サーチの指示を受けた場合におけるデジタルチューナ２１およびアナログチューナ４１の動作を示している。同図に示すように、デジタルチューナ２１は、現在のチャンネル（３チャンネル）を起点として順次チャンネルの受信確認を実行し、受信可能なチャンネル（５チャンネル）を検出した場合に、そのチャンネル（５チャンネル）にセットされる。
【００８２】
同様に、アナログチューナ４１は、現在のチャンネル（３チャンネル）を起点として順次チャンネルの受信確認を実行し、受信可能なチャンネル（６チャンネル）を検出した場合に、そのチャンネル（６チャンネル）にセットされる。
【００８３】
なお、モニタ１３への表示内容については、図３，図４の場合と同様に、デジタルチューナ２１、デジタルチューナ４１の状態をもとに、アナログ放送とデジタル放送とを交互に表示するようにしてもよいし、また、デジタル放送のセットが終了するまではアナログ放送を順次表示するようにしてもよい。
【００８４】
また、スキャンを実行する場合のチューナのセットについて図７を参照して説明する。図７は、スキャンの指示を受けた場合におけるデジタルチューナ２１およびアナログチューナ４１の動作を示している。同図に示すように、デジタルチューナ２１は、１チャンネルから順次チャンネルの受信確認を実行し、受信可能なチャンネル（１チャンネル）を検出した場合に、そのチャンネル（１チャンネル）にセットされる。
【００８５】
同様に、アナログチューナ４１は、１チャンネルから順次チャンネルの受信確認を実行し、受信可能なチャンネル（２チャンネル）を検出した場合に、そのチャンネル（２チャンネル）にセットされる。
【００８６】
なお、モニタ１３への表示内容については、図３，図４の場合と同様に、デジタルチューナ２１、デジタルチューナ４１の状態をもとに、アナログ放送とデジタル放送とを交互に表示するようにしてもよいし、また、デジタル放送のセットが終了するまではアナログ放送を順次表示するようにしてもよい。
【００８７】
このように、サーチやスキャンを実行する場合でもステップ切替の場合と同様に、それぞれのチューナのセット状態に基づいて、デジタル放送とアナログ放送のいずれをモニタ表示するかを制御することで、待ち時間を短縮することができる。
【００８８】
上述してきたように、本実施の形態に示した車載テレビ装置１では、表示するチャンネルのステップ切替、サーチ、スキャンを実行する場合に、デジタル放送とアナログ放送を交互に表示する、もしくはデジタル放送のセット中にはアナログ放送のみを順次表示することで、デジタル放送のセットを実行している間にアナログ放送を表示し、待ち時間を短縮することができる。
【００８９】
【発明の効果】
以上説明したように、請求項１の発明によれば、受信装置は、受信するチャンネルを切り替える場合に、アナログチューナの受信状態とデジタルチューナの受信状態とを基に、アナログ放送とデジタル放送とのいずれを出力するかを決定するので、デジタル放送が表示できない間はアナログ放送を表示し、チャンネル切替時の待ち時間を短縮可能な受信装置が得られるという効果を奏する。
【００９０】
また、請求項２の発明によれば受信装置は、スキャン動作を実行する場合に、スキャンの進行状態に基いて受信可能な放送内容を順次出力するので、スキャン動作時の放送内容出力までの待ち時間を短縮可能な受信装置が得られるという効果を奏する。
【００９１】
また、請求項３の発明によれば受信装置は、デジタルチューナによって受信したデジタル放送と、アナログチューナによって受信したアナログ放送とを交互に出力するので、デジタルチューナのセット中はアナログ放送が表示されることとなり、簡易な構成で待ち時間を短縮可能な受信装置が得られるという効果を奏する。
【００９２】
また、請求項４の発明によれば受信装置は、デジタルチューナがデジタル放送を受信可能となるまでは、アナログチューナによって受信したアナログ放送を順次出力するので、切り替えが高速で繰り返し実行される場合であっても、常に待ち時間を短縮可能な受信装置が得られるという効果を奏する。
【００９３】
また、請求項５の発明によれば、受信方法は、受信するチャンネルを切り替える場合に、アナログチューナの受信状態とデジタルチューナの受信状態とを基に、アナログ放送とデジタル放送とのいずれを出力するかを決定するので、デジタル放送が表示できない間はアナログ放送を表示し、チャンネル切替時の待ち時間を短縮可能な受信方法が得られるという効果を奏する。
【００９４】
また、請求項６の発明によれば受信方法は、スキャン動作を実行する場合に、スキャンの進行状態に基いて受信可能な放送内容を順次出力するので、スキャン動作時の放送内容出力までの待ち時間を短縮可能な受信方法が得られるという効果を奏する。
【００９５】
また、請求項７の発明によれば受信方法は、デジタルチューナによって受信したデジタル放送と、アナログチューナによって受信したアナログ放送とを交互に出力するので、デジタルチューナのセット中はアナログ放送が表示されることとなり、簡易な構成で待ち時間を短縮可能な受信方法が得られるという効果を奏する。
【００９６】
また、請求項８の発明によれば受信方法は、デジタルチューナがデジタル放送を受信可能となるまでは、アナログチューナによって受信したアナログ放送を順次出力するので、切り替えが高速で繰り返し実行される場合であっても、常に待ち時間を短縮可能な受信方法が得られるという効果を奏する。
【図面の簡単な説明】
【図１】本実施の形態にかかる車載テレビ装置の概要構成を示す概要構成図である。
【図２】ステップ切替におけるチューナのセットについて説明する説明図である。
【図３】ステップ切替時における表示内容の具体例を説明する説明図である。
【図４】デジタルチューナのセットが終了するまでアナログ放送を順次表示する場合の表示内容を説明する説明図である。
【図５】図１に示した車載テレビ装置によるステップ切替の処理動作を説明するフローチャートである。
【図６】サーチを実行する場合のチューナのセットについて説明する説明図である。
【図７】スキャンの指示を受けた場合におけるデジタルチューナおよびアナログチューナの動作を説明する説明図である。
【符号の説明】
１    車載テレビ装置
２，３    アンテナ
１１    主制御部
１１ａ  チューナ管理部
１２    切替部
１３    モニタ
２０    デジタルテレビ受信器
２１    デジタルチューナ
２２，４２    ＣＰＵ
２３，４３    チャンネルテーブル
２４    ＭＰＥＧデコーダ
２５    デジタル復調部
３１，４７    ＡＧＣ
３２    ＡＤＣ
３３    データシンボル読み出し部
３４    復号処理部
３５    ＴＳバッファ
４０    アナログテレビ受信器
４１    アナログチューナ
４４    ＩＦ検波器
４５    増幅器
４８    アナログ復調部
５１    同期分離部
５２    ＡＦＣ
５３    ＹＣ分離部
５４    ＲＧＢ復調部
【図１】
2005064566.tif 000003
【図２】
2005064566.tif 000004
【図３】
2005064566.tif 000005
【図４】
2005064566.tif 000006
【図５】
2005064566.tif 000007
【図６】
2005064566.tif 000008
【図７】
2005064566.tif 000009